(57)【特許請求の範囲】
【請求項１】
連結棒(41)で左右方向への相対的な移動可能に連結された左右一対のブロック体(31)の相対向する端面(33)から、該ブロック体(31)それぞれに少なくとも一対形成されたシリンダ孔(32)に、内部に弾撥力発現用のコイル状のスプリング体(55)を左右両端部を突き出させ、摺動自在に収納する、少なくとも一対のパイプ体(51)を挿通、摺動自在に組み付けし、前記連結棒(41)に沿っての、スプリング(55)の弾撥力による、前記一対のブロック体(31)間の拡張距離の上限を調節可能に決めるストッパ機構を連結棒(41)とブロック体(31)の間に設ける構成とし、前記一対のブロック体(31)の一部をそれぞれレジンに埋設固定するとしたことを特徴とする可撤式床矯正装置における床拡張器。
【請求項２】
円柱状の連結棒(41)の側周面の上部からストッパピン(43)が着脱可能に嵌入するピン孔(42)を所定の間隔で左右一列に所定数形成し、一対のブロック体(31)の相対向する端面(33)から、前記連結棒(41)が摺動自在に挿通する軸孔(34)を、また上面から前記軸孔(34)の一部を上方に開放する、断面形状が長円状の長孔(35)を形成し、前記連結棒(41)を前記ブロック体(31)の軸孔(34)に組み付けし、前記長孔(35)を介して所定の前記ピン孔(42)に差し込んだストッパピン(43)と長孔(35)との係止によりストッパ機構を構成し、前記一対のブロック体(31)を連結する、請求項１記載の可撤式床矯正装置における床拡張器。
【請求項３】
連結棒(41)を中央部に作動部(45)が設けられ左右でネジのきり方が逆である作動スクリュー(44)とし、一対のブロック体(31)の上面から断面形状が長円状の長孔(35)を形成し、また相対向する端面(33)から前記長孔(35)の側面に貫通し、前記連結棒(41)が摺動自在に挿通する軸孔(34)を、形成し、前記連結棒(41)を該軸孔(34)に組み付けし、該連結棒(41)の左右端部に螺合したナット(46)と前記長孔(35)との係止により、ストッパ機構を構成し、一対のブロック体(31)を連結する、請求項１記載の可撤式床矯正装置における床拡張器。
【請求項４】
パイプ体(51)の側周面の長手方向中央部の上部から該パイプ体(51)の胴部を貫通するセンター孔(52)を形成、スプリング(55)を左右対称に収納した状態で、前記センター孔(52)にセンターピン(53)を挿通する構成とした、請求項１、２または３記載の可撤式床矯正装置における床拡張器。
【請求項５】
スプリング(55)の両端から内部に、端部に設けた外鍔周片(57)を嵌入限界として、スプリング軸ピン(56)を摺動自在に嵌入する構成とした、請求項１、２、３または４記載の可撤式床矯正装置における床拡張器。
【発明の詳細な説明】
【０００１】
【産業上の利用分野】
本発明は、所謂可撤式床矯正装置における床拡張器に関する。
【０００２】
【従来の技術】
可撤式床矯正装置とは、歯、歯列、顎骨の矯正をワイヤではなくして撤去を可能（着脱可能）としたプレート状のレジンと呼ばれるプラスチックの一種に維持装置（クラスプ）を組み込ませたり、作用点（縮小機構若しくは拡張機構の取付基盤）を求めたりさせたものである。口内に装着し易いレジンを矯正機構の取付基盤とするために極めて扱い易い。このものは、抜歯による単なる恐怖のみではなく、種々の不都合（運動コントロール不全、咬合バランスの崩壊、顎関節症の誘因や原因）を回避する非抜歯での矯正を可能とした歯、歯列、顎骨の拡張装置にも利用されている。
【０００３】
すなわち、歯列間拡張にあっては、図１３に示す如く、口内面に沿うように成形された２分割のレジンの床１、１’は、歯列２の左右両側で臼歯３ａ、３ｂ、４ａ、４ｂに取り付く維持装置としてのクラスプ５ａ、５ｂ、６ａ、６ｂを取り付けし、かつ、上記レジンの床１、１’間には拡張器７を架配して、クラスプ５ａ、５ｂ、６ａ、６ｂの着脱による取り付け、取りはずしと拡張器７による歯列離反方向の拡張付勢Ａによって歯列２間隔を拡張して非抜歯での矯正を可能とする。
【０００４】
また、臼歯間拡張にあっては、図１４に示す如く、口内面に沿うように成形されたレジンの床８は、非抜歯矯正の対象の臼歯９部において、分割部８ａを切り取り分割され、上記床８と分割部８ａの夫々には該臼歯９の前、後歯９ａ、９ｂに取り付くクラスプ１０ａ、１０ｂが取り付けられ、さらには、本体の床８の反対側にも維持装置としてのクラスプ１１ａ、１１ｂが取り付けられ、該拡張器７は該臼歯９部の分割部に架配されて、臼歯９ｂの顎奥方向Ｂへの移動を可能としている。
【０００５】
上述の説明より明らかな如く、レジンの床１、１’、８、８ａは拡張器７によって所定方向Ａ、Ｂに拡張付勢されねばならないものであるために、拡張器７は作用点を介してレジン１、１’、８、８ａに所定の方向Ａ、Ｂ等への拡張付勢を与え得るものであらねばならない。
【０００６】
このような拡張器７としては、例えば特公昭６２−５６２２号公報に記載のものでは図１５、１６に示す如く、２個の圧力伝達ナット１２、１３を備え、これらナット１２、１３は左右でねじ切り方が逆になっている作動スクリュー１４に螺合し、該スクリュー１４の中央には、大径の作動部１５が設けてあり、またスクリュー１４をはさんで一対の案内ロッド１６、１６がスクリュー１４と平行に配置している。
【０００７】
また、本願出願人の出願による特開２０００−１３９９５４号公報記載の拡張器は、図１７、１８に示す如く、連結アーム２５を介して一体化された少なくとも一対のシリンダ２６、２６に同じく連結アーム２７を介して一体化された少なくとも一対のピストンロッド２８、２８を弾撥力発現用の内装スプリング２９を介して脱落阻止のもと組み付けし、上記シリンダ２６、ピストンロッド２８の夫々の端部をレジンに埋設して使用するものである。
【０００８】
【発明が解決しようとする課題】
特公昭６２−５６２２号公報記載の叙上の従来の拡張器７（以下、従来のスクリュー式拡張器と記す。）は使用上極めて煩わしいものであって、これを図１５、１６のものについて以下説明する。つまり、スクリュー１４の中央部には大径の作動部１５が設けられておりピン棒等でなされる間隔Ｓの調整は自在であるが、通常この調整は口中装着前に設定されるが、その設定量は当然のことながら装着可能の限度内に制約され、強引な装着によって蓄勢された反力に頼るものであるので、治療効果（拡張）に応じて調整が加えられねばならない。例えば、スクリュー１４を基本的に１／４回転９０度を原則として使用し、１／４回転で０．２ｍｍ開く様にした場合にあっては、最大１週間に２回を限度としなされる。
【０００９】
このように拡張力発現の源が固定の間隔である機構のために拡張能、つまり治療効果には限度があって、度重なる調整管理が強いられるものである。このようにフレキシビリティーに著しく欠けるため、患者さんが使用を中断した場合、拡大が後戻りをして装置が入りにくくなったり、まったく入らなくなる不便があり、回転を忘れたり、装着していない時間が長いと不適合となりネジを逆回転しないと再度装着することが不可能となることさえ生じる。
【００１０】
また、スクリュー１４等の点状の拡張力発現力を幅長の圧力伝達ナット１２、１３等（作用点）に均等に拡大伝達させるべく両側に案内ロッド１６等のガイドを付設して補完した機構は、大きさに制約を受けるにかかわらず複雑で大きくならざるを得ない不合理を有し、設計、製造上に困難を強いている。
【００１１】
また、特開２０００−１３９９５４号公報記載の拡張器（以下、従来のスプリング式拡張器と記す。）はスプリングを内装したシリンダとピストンロッドの組み合わせにより、従来のスクリュー式拡張器の問題点を解消し次のような効果を奏する。
（１） 調整不要のもとで、着脱容易と拡張継続とが可能となり、画期的である。
（２） 拡張付勢力の作用点形成が補佐を要することなくして横長に構成し得るので、簡素化、小型化が期し得る。
【００１２】
しかしながら、上記の従来のスプリング式拡張器は、スプリングの拡張ストロークが大きくて制限がないために歯が移動しても連続して押す力が常時働いているので患者が医師による診察を怠って使っていると必要以上に歯が移動してしまうことが有り得ること、またスプリングがシリンダとピストンロッドの間に収められているためにスプリングの長さに対して全体の長さが２倍以上の寸法となり小型化に限界があること、なる問題がある。
【００１３】
本発明は叙上の問題点を解消すべく創案されたものであり、従来のスプリング式拡張器の特長、作用効果を維持しながら、さらに拡張距離の上限を容易に調整して決めることができ、さらに小型化が可能な構成を技術的な課題とするものであり、これにより、より安全性の高い、調整の手間が少なく、容易かつ確実に調整のできる可撤式床矯正装置における床拡張器を提供することを目的とする。
【００１４】
【課題を解決するための手段】
上記課題を解決するための本発明のうち請求項１記載の発明の手段は、連結棒で左右方向への相対的な移動可能に連結された左右一対のブロック体の相対向する端面から、ブロック体それぞれに少なくとも一対形成されたシリンダ孔に、内部に弾撥力発現用のコイル状のスプリング体を左右両端部を突き出させ、摺動自在に収納する、少なくとも一対のパイプ体を挿通、摺動自在に組み付けること、連結棒に沿っての、スプリングの弾撥力による、一対のブロック体間の拡張距離の上限を調節可能に決めるストッパ機構を連結棒とブロック体の間に設ける構成とすること、
一対のブロック体の一部をそれぞれレジンに埋設固定するとしたこと、
にある。
【００１５】
請求項１記載の上記構成により、左右一対のブロック体がスプリングの弾撥力により互いに離反移動する、すなわち拡張する方向に力を受けるので、ブロック体のレジンに埋設した部分が直接作用点として働き、矯正のための力を付与する。
【００１６】
拡張力の発現をスプリングにしたため、従来のスプリング式拡張器同様、前進代、後退代を有する大なるストロークの範囲で拡張力（弾撥力）が持続させることが可能であり、フレキシビリティーなものとなり、再装着に際しての調整が一切不要となると共に着脱に際しての後退代が確保されることとなるために着脱操作が容易となり、スクリュー方式における再装着不可能や再調整必要等の不便な事態が解消される。
【００１７】
また、一方連結棒に沿っての、スプリングの弾撥力による、一対のブロック体間の拡張距離の上限を調節可能に決めるストッパ機構を連結棒とブロック体の間に設ける構成であるので、このストッパ機構により拡張が行き過ぎるという心配がない。
【００１８】
さらに、上記拡張距離の上限を調整することができるので、この上限を段階的に広げていくことにより、拡張ストロークが大きいという従来のスプリング式拡張器の作用効果を徐々にあるいは計画的に発揮させながら拡張器を取り替えることなく充分な治療効果を発揮させることができる。
【００１９】
また、本構成では従来のスプリング式拡張器のピストンに相当する部分がないので同じスプリング長さに対して外形長さを短くでき、さらに小型化が可能となる。
【００２０】
また、１本でなく、少なくとも一対のスプリングにより、ブロック体に弾撥力を付与するので、力がぶれることなく一定の方向に作用するので、歯を所定の方向へ精度高く移動させることができる。
【００２１】
さらに、ブロック体にシリンダ孔を並配すれば容易に横長の作用点を形成し得るし、また全体を偏平に設計することができ、単一で横長の作用点を形成し得る。つまり、拡張力発現点とレジンにおける作用点との一致化が容易であるために、均等伝達のためにガイドの補佐を要しないので、簡素化、小型化が期し得る。
【００２２】
また、パイプ体の中にスプリングを収納して、このパイプ体を摺動自在にブロック体のシリンダ孔に挿通する構成であるので、連結棒と共に少なくとも一対のパイプも一対のブロック対の左右方向の動きのガイドとしての作用効果を発揮し、ブロック体の動きを安定して達成することができる。ここで、ブロック体の移動をよりスムーズに達成するために、連結棒をブロック体の端面の中央から、その外側からパイプ体を対称的な位置に配置して、挿通させることが好ましい。
【００２３】
請求項２記載の発明の手段は、請求項１記載の発明において、
円柱状の連結棒の側周面の上部からストッパピンが着脱可能に嵌入するピン孔を所定の間隔で左右一列に所定数形成すること、
一対のブロック体の相対向する端面から、連結棒が摺動自在に挿通する軸孔を、また上面からこの軸孔の一部を上方に開放する、断面形状が長円状の長孔を形成すること、
連結棒をブロック体の軸孔に組み付けし、長孔を介して所定のピン孔に差し込んだストッパピンと長孔との係止によりストッパ機構を構成し、一対のブロック体を連結すること、
にある。
【００２４】
請求項２記載の上記構成は、ストッパ機構に関するものであり、連結棒に、所定の間隔で設けたピン孔にストッパピンを差し込み、このストッパピンとブロック体に形成した長孔との係止により、スプリングの弾撥力による一対のブロック体間の拡張距離の上限を決めることができるようにしたものである。ここでブロック体に長孔を形成したので、拡張の上限は上記の係止により決まるが、逆にブロック体間の距離の収縮方向に付いての摺動動作はこのストッパピンの影響を受けない。
【００２５】
また、ピン孔を所定の間隔で、左右一列に所定の数設けることにより、ストッパピンの差し込み位置により、拡張幅の上限位置を順次、正確に設定していくことができる。
【００２６】
特に、予め複数のストッパピンを差し込んでおき、内側のストッパピンから順次抜きながら上限を段階的に広げていく方法を採用することができ、この方法によれば、ストッパピンとピン孔との位置合わせも不要であり、患者自身が上限設定の調整操作を容易に達成することができる。
【００２７】
請求項３記載の発明の手段は、請求項１記載の発明において、
連結棒を中央部に作動部が設けられ左右でネジのきり方が逆である作動スクリューとすること、
一対のブロック体の上面から断面形状が長円状の長孔を形成し、また相対向する端面から長孔の側面に貫通し、連結棒が摺動自在に挿通する軸孔を、形成すること、
連結棒をこの軸孔に組み付けし、連結棒の左右端部に螺合したナットと長孔との係止により、ストッパ機構を構成し、一対のブロック体を連結すること、
にある。
【００２８】
請求項３記載の上記構成も、ストッパ機構に関するものであり、連結棒の中央部に位置する作動部により連結棒をその軸周りに回転させ、左右でネジのきり方が逆である作動スクリューの機能により、ナットの位置を調整することができ、このナットとブロック体に形成した長孔との係止により、スプリングの弾撥力による一対のブロック体間の拡張距離の上限を決めることができるようにしたものである。ここで請求項２記載の構成同様、ブロック体に長孔を形成することにより、拡張の上限は上記の係止により決まるが、逆に収縮方向に付いて摺動動作はこのストッパ機構の影響を受けない。
【００２９】
また、本構成によれば、作動スクリューにより、ブロック体間の拡張距離を連続的に調整することが可能となる。
【００３０】
請求項４記載の発明の手段は、請求項１、２または３記載の発明において、パイプ体の側周面の長手方向の中央の上面からこのパイプ体の胴部を貫通するセンター孔を形成、スプリングを左右対称に収納した状態で、このセンター孔にセンターピンを挿通すること、にある。
【００３１】
請求項４記載の上記構成により、センターピンによりパイプ体中におけるスプリングの位置を略左右対称に保持することができるので、パイプ体内でスプリングが偏在したり、極端な場合にはパイプ体の片側だけにスプリングが突き出るような状態になることを防ぎ、パイプ体のシリンダ孔におけるスムーズな摺動を確保し、スプリングの弾撥力を充分に発揮させることができる。
【００３２】
請求項５記載の発明の手段は、請求項１、２、３または４記載の発明において、スプリングの両端から内部に、端部に設けた外鍔周片を嵌入限界としてスプリング軸ピンを摺動自在に嵌入する構成とすること、にある。
【００３３】
請求項５記載の上記構成により、スプリング軸ピンによりスプリングの姿勢を真直ぐに保持することができ、パイプ体端面近傍におけるスプリングの不正な変形を防止するので、特にパイプ体の端面から突き出たスプリングの部分がパイプ体内に移動する際において、パイプ体の端面にスプリングが引っ係るのを防ぎ、もってスプリングのスムーズな伸縮変形および移動を確保することができる。
【００３４】
【発明の実施の形態】
本発明の実施の形態を図１〜１２に基づいて説明する。図１〜１０は本発明の拡張器の第１実施例を示すものであり、本発明の拡張器は主として左右一対のブロック体３１と、このブロック体３１を連結する連結棒４１とスプリング５５を収納した一対のパイプ体５１とから構成されている。
【００３５】
図２〜５に示されるように、ブロック体３１の外形は扁平状の直方体であり、その端面３３からパイプ体５１が摺動自在に挿通する一対のシリンダ孔３２が、またその間に連結棒が摺動自在に挿通する軸孔３４が形成され、また上面から軸孔３４を上方に開放する状態で長円状の長孔３５が形成されている。また前後面の上下稜線には、確実にレジンへの固定を確保するための切り欠き部３６を形成している。
【００３６】
連結棒４１は丸棒状であり左右に２ｍｍの間隔で３ケ、計６ケのピン孔４２が貫通して形成され、ピン孔４２の内周面の一部には螺条が刻設されており、ストッパピン４３がねじ止めされる。(図８、９参照)
【００３７】
図６は、スプリング５５内に、スプリング５５端部の不正な変形を防止するためのスプリング軸ピン５６が外鍔片５７を嵌入限界として、嵌入した状態を示したものであり、また図７はパープ体５１の平断面図であり、中央にはスプリング５５をパイプ体５１内で略左右対称の位置に保持するためのセンターピン５３が嵌入するセンター孔５２が形成されている。
【００３８】
図１、８、９は上記したブロック体３１、連結棒４１、パイプ体５１を組付けた状態を示す、それぞれ全体斜視図、平面図（略右半部は平断面で示されている。）、側断面図であり、左右の端部を突き出した状態でスプリング５５を収納し、中央のセンター孔５２からセンターピン５３を差し込んだ一対、２本のパイプ体５１はそれぞれ一対のブロック体３１のシリンダ孔３２に挿通し、スプリング５５の弾撥力により一対のブロック体３１間の距離を拡張する方向に力を作用させている。
【００３９】
連結棒４１は一対のブロック体３１の軸孔３４に挿通し、ブロック体３１の長孔３５からストッパピン４３が差し込まれ、ピン孔４２にねじ止めされおり、（図１、８は左右各３ケのピン孔４２のうち外側の２ケにストッパピン４３を差し込んだ状態を示す。）このストッパピン４３と長孔３５とが係止してストッパ機構を形成し、スプリング５５による一対のブロック体３１の拡張距離の上限が決められ、拡張の行き過ぎを確実に防止する。
【００４０】
図１０は使用時における拡張距離の調整方法の一例を示した説明図であり、組み込み時には予め２ｍｍの間隔に並べた左右３ケ、計６ケのピン孔４２すべてにストッパピン４３を差し込んだ状態で組み込み（図１０（ａ）参照、この際一対のブロック体３１の端面３３間の距離は１ｍｍ）、治療の進行にしたがって内側に位置するものから順にストッパピン４３を１本づつ抜いていくことにより、拡張距離の上限を２、４、６ｍｍ（図１０（ｂ）、（ｃ）、（ｄ）参照）と徐々に計画的に大きくしていくことができる。（（ｂ）、（ｃ）ではスプリング５５、スプリング軸ピン５６は省略している。）
【００４１】
また、このような拡張距離の上限の調整は、孔とピン等の位置合わせの微妙な操作を必要とせず、ストッパピン４３を螺脱して抜くことにより実施することができ、患者自身が容易にかつ確実に実施することが可能である。また、ストッパピン４３の係止が長孔３５との間で達成されているので、本拡張器の脱着に際しては容易に一対のブロック体間の距離を縮小方向に動かすことができる。
【００４２】
図１１はパイプ体５１内でのスプリング５５の位置を略左右対称になるようにするための他の例を示し、パイプ体５１内の長さ方向の中央部に仕切り板５４を設置、１対のスプリング５５をパイプ体５１の左右に収納するものである。
【００４３】
図１２は本発明の拡張器の第２実施例を示す平断面図であり、スプリング５５、パイプ体５１の形状、パイプ体４１のブロック体３１へ組み付けの構成は第１実施例と同様であるが、連結棒４１に左右の中央部に作動部４５が設けられ左右でネジのきり方が逆である作動スクリュー４４を用い、この作動スクリュー４４の左右端部にそれぞれ、長孔３５の形状に合うような円柱状のナット４６を螺合し、このナット４６と長孔３５との係止により、ストッパ機構を構成したものである。
【００４４】
本第２実施例においては作動部４５により作動スクリュー４４を回転しナット４６の位置を移動することによりブロック体間の拡張距離の上限を連続的に調整することができる。
【００４５】
【発明の効果】
本発明は、上記した構成となっているので、以下に示す効果を奏する。
請求項１の発明にあっては、従来のスプリング式拡張器の、調整不要のもとで、着脱容易と拡張継続とが可能となるという特長を維持しながら、ストッパ機構により拡張が行き過ぎるという心配を無くし、さらに拡張距離の上限の段階的な調整により、拡張ストロークが大きいというスプリング式拡張器の作用効果を徐々にあるいは計画的に発揮させながら、取り替えることなく充分な治療効果を発揮させることができるので、安全性の高い、調整の手間が少なく、容易かつ確実に調整のでき、治療効果の高い拡張器を提供する。
【００４６】
また、従来のスプリング式拡張器におけるピストン部分がないので同じスプリング長さに対して外形長さを短くでき、さらに小型化ができる。
【００４７】
請求項２の発明にあっては、ストッパピンの差し込み位置により、拡張距離の上限を順次、正確に設定していくことができ、特に、ストッパピンを順次抜きながら上限を段階的に広げていく方法を採用することができ、この方法によれば、患者自身が上限設定の操作を容易にかつ確実に実施することができる。
【００４８】
請求項３の発明にあっては、作動スクリューにより、ブロック体間の拡張距離の上限を連続的に調整可能とする。
【００４９】
請求項４の発明にあっては、センターピンによりパイプ体中におけるスプリングの位置を略左右対称に保持することができるので、パイプ体のシリンダ孔におけるスムーズな摺動を確保し、スプリングの弾撥力を充分に発揮させることができる。
【００５０】
請求項５の発明にあっては、スプリング軸ピンによりスプリングの姿勢を真直ぐに保持することができ、特にパイプ体の端面から突き出たスプリングの部分がパイプ体内に移動する際のパイプ体の端面での引っ係りを防ぎ、スプリングのスムーズな伸縮変形および移動を確保することができる。
【図面の簡単な説明】
【図１】本発明拡張器の第１実施例を示す、全体斜視図。
【図２】本発明拡張器の第１実施例のブロック体を示す、平面図。
【図３】図２中Ｃ−Ｃ矢視して示す、側断面図。
【図４】図２中のＤ−Ｄ線に沿って示す、正面断面図。
【図５】図２中のＥ−Ｅ線に沿って示す、正面断面図。
【図６】本発明拡張器の第１実施例のスプリングおよび軸ピンを示す、平面図。
【図７】本発明拡張器の第１実施例のパイプ体を示す、平面図。
【図８】本発明拡張器の第１実施例の略半分を破断して示す、平面図。
【図９】図８中のＦ−Ｆ線に沿って示す、側断面図。
【図１０】本発明拡張器の第１実施例の拡張上限の段階的な調整方法の一例をを示す、説明図。
【図１１】パイプ体、スプリング、軸ピンの他の例を示す、平面図。
【図１２】本発明拡張器の第２実施例を示す、平断面図。
【図１３】可撤式床矯正装置の説明図。
【図１４】可撤式床矯正装置の説明図。
【図１５】従来のスクリュー式拡張器の縮時を示す、説明図。
【図１６】従来のスクリュー式拡張器の伸時を示す、説明図。
【図１７】従来のスプリング式拡張器を示す、全体斜視図。
【図１８】従来のスプリング式拡張器を示す、平断面図。
【符号の説明】
１，１’  ；  レジンの床
２  ；  歯列
３ａ，３ｂ  ；  臼歯
４ａ，４ｂ  ；  臼歯
５ａ，５ｂ  ；  クラスプ
６ａ，６ｂ  ；  クラスプ
７  ；  拡張器
８  ；  レジンの床
８ａ  ；  分割部
９  ；  臼歯
９ａ  ；  前歯
９ｂ  ；  後歯
１０ａ，１０ｂ  ；  クラスプ
１１ａ，１１ｂ  ；  クラスプ
１２  ；  圧力伝達ナット
１３  ；  圧力伝達ナット
１４  ；  作動スクリュー
１５  ；  作動部
１６  ；  案内ロッド
２５  ；  連結アーム
２６  ；  シリンダ
２７  ；  連結アーム
２８  ；  ピストンロッド
２９  ；  内装スプリング
３１  ；  ブロック体
３２  ；  シリンダ孔
３３  ；端面
３４  ；軸孔
３５  ；長孔
３６  ；切り欠き部
４１  ；  連結棒
４２  ；  ピン孔
４３  ；  ストッパピン
４４  ；  作動スクリュー
４５  ；  作動部
４６  ；  ナット
５１  ；  パイプ体
５２  ；  センター孔
５３  ；  センターピン
５４  ；  仕切り板
５５  ；  スプリング
５６  ；  スプリング軸ピン
５７  ；  外鍔片
【図１】
0003682586.tif 000002
【図２】
0003682586.tif 000003
【図３】
0003682586.tif 000004
【図４】
0003682586.tif 000005
【図５】
0003682586.tif 000006
【図６】
0003682586.tif 000007
【図７】
0003682586.tif 000008
【図８】
0003682586.tif 000009
【図９】
0003682586.tif 000010
【図１０】
0003682586.tif 000011
【図１１】
0003682586.tif 000012
【図１２】
0003682586.tif 000013
【図１３】
0003682586.tif 000014
【図１４】
0003682586.tif 000015
【図１５】
0003682586.tif 000016
【図１６】
0003682586.tif 000017
【図１７】
0003682586.tif 000018
【図１８】
0003682586.tif 000019